(57)【特許請求の範囲】
【請求項１】
同軸に並置された第１及び第２の回動部材と、
前記第１及び第２の回動部材間の相対回動を規制可能なロック部材と、
前記第１の回動部材の外面に摩擦係合することにより該第１の回動部材と同軸に一体回動可能且つ摩擦係合力に抗して相対回動可能な第１メモリ部材と、
前記第１メモリ部材に対して係脱可能な第２メモリ部材と、
前記第２メモリ部材を係脱動作させるとともに該係脱動作に連動して前記ロック部材をロック及びアンロック動作させる操作機構と、を備え、
前記第１メモリ部材は、
前記第２メモリ部材に摺接することにより前記ロック部材のロック動作を伴う前記第２メモリ部材の係合動作を規制する摺接面と、
前記第１メモリ部材が前記第２の回動部材に対して所定の相対回動位置にある場合に前記第２メモリ部材の係合動作を許容して該係合動作により挿入された前記第２メモリ部材と係合することにより前記第２の回動部材に対する前記第１メモリ部材の相対回動を規制する係合溝と、を有し、
前記第１メモリ部材が前記所定の相対回動位置まで相対回動する際、前記摺接面から最後に離脱する前記第２メモリ部材の摺接後端部、及び前記摺接面と前記係合溝との境界部が、ともに角部となるように構成された車両用シートリクライニング装置。
【請求項２】
同軸に並置された第１及び第２の回動部材と、
前記第１及び第２の回動部材間の相対回動を規制可能なロック部材と、
前記第１の回動部材の外面に摩擦係合することにより該第１の回動部材と同軸に一体回動可能且つ摩擦係合力に抗して相対回動可能な第１メモリ部材と、
前記第１メモリ部材に対して係脱可能な第２メモリ部材と、
前記第２メモリ部材を係脱動作させるとともに該係脱動作に連動して前記ロック部材をロック及びアンロック動作させる操作機構と、を備え、
前記第１メモリ部材は、
前記第２メモリ部材に摺接することにより前記ロック部材のロック動作を伴う前記第２メモリ部材の係合動作を規制する摺接面と、
前記第１メモリ部材が前記第２の回動部材に対して所定の相対回動位置にある場合に前記第２メモリ部材の係合動作を許容して該係合動作により挿入された前記第２メモリ部材と係合することにより前記第２の回動部材に対する前記第１メモリ部材の相対回動を規制する係合溝と、を有し、
前記摺接面との境界部において前記係合溝の側壁面が前記第２メモリ部材の挿入方向に対してなす角度よりも、前記第１メモリ部材が前記所定の相対回動位置まで相対回動する際、前記摺接面から最後に離脱する前記第２メモリ部材の摺接後端部が前記挿入方向に対してなす角度の方が小さな値となるように構成された車両用シートリクライニング装置。
【請求項３】
請求項１又は請求項２に記載の車両用シートリクライニング装置において、
前記係合溝に対する前記第２メモリ部材の挿入部は、角軸状に形成されてなること、
を特徴とする車両用シートリクライニング装置。
【請求項４】
請求項１〜請求項３の何れか一項に記載の車両用シートリクライニング装置において、
前記第１メモリ部材は、前記第１及び第２の回動部材間の相対回動を伴いつつシートバックが後方側に傾倒する際、前記所定の相対回動位置において前記第２メモリ部材に当接することにより、前記摩擦係合力に基づく前記第１の回動部材との一体回動を規制するストッパ部を備えること、を特徴とする車両用シートリクライニング装置。
【請求項５】
請求項１〜請求項４の何れか一項に記載の車両用シートリクライニング装置において、
前記第１メモリ部材は、前記第１及び第２の回動部材間の相対回動を伴いつつシートバックが前方側に傾倒する際、前記係合溝に前記第２メモリ部材を挿入可能な第１相対回動位置から所定の相対回動角度に設定された第２相対回動位置において前記第２メモリ部材に当接することにより、前記摩擦係合力に基づく前記第１の回動部材との一体回動を規制するストッパ部を備えること、を特徴とする車両用シートリクライニング装置。
【発明の詳細な説明】
【技術分野】
【０００１】
本発明は、車両用シートリクライニング装置に関するものである。
【背景技術】
【０００２】
従来、同軸に並置された第１及び第２の回動部材と、これら第１及び第２の回動部材間の相対回動を規制可能なロック部材と、を備えた車両用のシートリクライニング装置がある。また、特許文献１に記載のシートリクライニング装置は、更に、その第１の回動部材の外面に摩擦係合する第１メモリ部材と、予め設定された所定の相対回動位置で当該第１メモリ部材に係合することにより第２の回動部材に対する第１メモリ部材の相対回動を規制可能な第２メモリ部材と、を備えている。そして、これにより、そのシートバックを前倒しすることにより後部シートの乗降性を向上させる所謂ウォークイン動作時、第２メモリ部材の係脱動作に連動して上記ロック部材をロック及びアンロック動作させることで、その前倒し操作されたシートバックを当該前倒し操作前の傾倒位置に復帰させることが可能となっている。
【０００３】
即ち、このようなシートリクライニング装置の多くは、シート側方に設けられた操作ハンドルを操作することにより、そのロック部材による第１及び第２の回動部材間の拘束を解除して、シートバックの傾倒角度を調整することが可能となっている。また、こうした通常のリクライニング操作時、上記特許文献１に記載のシートリクライニング装置においては、その第２メモリ部材が第１メモリ部材に係合することにより、第２の回動部材に対する第１メモリ部材の相対回動が規制される。そして、第１の回動部材は、その第１メモリ部材との摩擦係合力に抗することにより、第２の回動部材に対して相対回動することが可能となっている。
【０００４】
一方、ウォークイン動作時には、その第２メモリ部材の脱離動作に連動して上記ロック部材がアンロック動作する。つまり、この状態においては、その第２メモリ部材が第１メモリ部材から脱離することで、摩擦係合力に基づき当該第１メモリ部材と第１の回動部材とが一体回動するようになっている。そして、その前倒し操作されたシートバックの引き起こし操作時には、上記所定の相対回動位置で第１メモリ部材に第２メモリ部材が係合することにより、その前倒し操作前の傾倒位置にシートバックが復帰する構成となっている。
【０００５】
また、図２０に示すように、この従来例では、その第１メモリ部材として、所定の周方向位置に係合溝９０を有したメモリリング９１が用いられている。更に、その第２メモリ部材には、略円柱状の外形を有するメモリピン９２が用いられている。そして、このメモリピンは、上記ロック部材のロック及びアンロック動作を伴いつつ、そのメモリリング９１に形成された係合溝９０に挿抜（係脱）されるように構成されている。
【０００６】
即ち、第２の回動部材に対してメモリリング９１が相対回動する状態においては、その係合溝９０から抜脱されたメモリピン９２がメモリリング９１の外周面９１ｓに摺接することにより、上記ロック部材のロック動作を伴うメモリピン９２の係合動作が規制される。そして、その係合溝９０に対してメモリピン９２を挿入可能な所定の相対回動位置にメモリリング９１が復帰した場合において、そのロック部材のロック動作を伴うメモリピン９２の係合動作が許容されるようになっている。
【先行技術文献】
【特許文献】
【０００７】
【特許文献１】米国特許出願公開第２０１３／０１１３２６０号明細書
【発明の概要】
【発明が解決しようとする課題】
【０００８】
しかしながら、上記従来例では、見かけ上、メモリリング９１の外周面９１ｓ上を相対移動したメモリピン９２は、その摺接面となる外周面９１ｓと係合溝９０との境界部を円周部分が滑るようにして当該係合溝９０内に挿入される。つまり、ロック部材のロック動作を伴うメモリピンの係合動作は、そのメモリピン９２が係合溝９０に対する挿入位置まで完全に移動していない状態で開始される。そして、これにより、その第１及び第２の回動部材が相対回動する状態のままロック部材がロック動作することで、そのロック部材と両回動部材との係合部に負荷がかかり、ひいては異音の発生や耐久性の低下を招くおそれがあることから、この点において、なお改善の余地を残すものとなっていた。
【０００９】
本発明は、上記問題点を解決するためになされたものであって、その目的は、より正確なタイミングでロック部材をロック動作させることのできる車両用シートリクライニング装置を提供することにある。
【課題を解決するための手段】
【００１０】
上記課題を解決する車両用シートリクライニング装置は、同軸に並置された第１及び第２の回動部材と、前記第１及び第２の回動部材間の相対回動を規制可能なロック部材と、前記第１の回動部材の外面に摩擦係合することにより該第１の回動部材と同軸に一体回動可能且つ摩擦係合力に抗して相対回動可能な第１メモリ部材と、前記第１メモリ部材に対して係脱可能な第２メモリ部材と、前記第２メモリ部材を係脱動作させるとともに該係脱動作に連動して前記ロック部材をロック及びアンロック動作させる操作機構と、を備え、前記第１メモリ部材は、前記第２メモリ部材に摺接することにより前記ロック部材のロック動作を伴う前記第２メモリ部材の係合動作を規制する摺接面と、前記第１メモリ部材が前記第２の回動部材に対して所定の相対回動位置にある場合に前記第２メモリ部材の係合動作を許容して該係合動作により挿入された前記第２メモリ部材と係合することにより前記第２の回動部材に対する前記第１メモリ部材の相対回動を規制する係合溝と、を有し、前記第１メモリ部材が前記所定の相対回動位置まで相対回動する際、前記摺接面から最後に離脱する前記第２メモリ部材の摺接後端部、及び前記摺接面と前記係合溝との境界部が、ともに角部となるように構成されることが好ましい。
【００１１】
上記課題を解決する車両用シートリクライニング装置は、同軸に並置された第１及び第２の回動部材と、前記第１及び第２の回動部材間の相対回動を規制可能なロック部材と、前記第１の回動部材の外面に摩擦係合することにより該第１の回動部材と同軸に一体回動可能且つ摩擦係合力に抗して相対回動可能な第１メモリ部材と、前記第１メモリ部材に対して係脱可能な第２メモリ部材と、前記第２メモリ部材を係脱動作させるとともに該係脱動作に連動して前記ロック部材をロック及びアンロック動作させる操作機構と、を備え、前記第１メモリ部材は、前記第２メモリ部材に摺接することにより前記ロック部材のロック動作を伴う前記第２メモリ部材の係合動作を規制する摺接面と、前記第１メモリ部材が前記第２の回動部材に対して所定の相対回動位置にある場合に前記第２メモリ部材の係合動作を許容して該係合動作により挿入された前記第２メモリ部材と係合することにより前記第２の回動部材に対する前記第１メモリ部材の相対回動を規制する係合溝と、を有し、前記摺接面との境界部において前記係合溝の側壁面が前記第２メモリ部材の挿入方向に対してなす角度よりも、前記第１メモリ部材が前記所定の相対回動位置まで相対回動する際、前記摺接面から最後に離脱する前記第２メモリ部材の摺接後端部が前記挿入方向に対してなす角度の方が小さな値となるように構成されることが好ましい。
【００１２】
上記各構成によれば、係合溝に対して第２メモリ部材を挿入可能な所定の相対回動位置において、速やかに、当該第２メモリ部材を係合溝内に挿入することができる。そして、これにより、より正確なタイミングでロック部材をロック動作させることができる。
【００１３】
上記課題を解決する車両用シートリクライニング装置は、前記係合溝に対する前記第２メモリ部材の挿入部は、角軸状に形成されてなることが好ましい。
上記構成によれば、簡素な構成にて、速やかに、その第２メモリ部材を係合溝内に挿入することができる。
【００１４】
上記課題を解決する車両用シートリクライニング装置は、前記第１メモリ部材は、前記第１及び第２の回動部材間の相対回動を伴いつつシートバックが後方側に傾倒する際、前記所定の相対回動位置において前記第２メモリ部材に当接することにより、前記摩擦係合力に基づく前記第１の回動部材との一体回動を規制するストッパ部を備えることが好ましい。
【００１５】
上記構成によれば、前倒し操作されたシートバックを引き起こす際、その係合溝に対して第２メモリ部材を挿入可能な所定の相対回動位置に第１メモリ部材が到達したとき、当該第１メモリ部材と第１の回動部材との間の摩擦係合力に基づいて、そのシートバックに抵抗感（手応え）を与えることができる。そして、これにより、そのシートバックの傾倒角度を固定可能な状態にあることを示すことで、優れた操作性を確保することができる。
【００１６】
また、ロック部材のアンロック動作を伴いつつ第１メモリ部材から第２メモリ部材が脱離した場合に、そのシートバックが後方側に傾倒することを抑制することができる。そして、これにより、シートバックの前倒し操作を誘導することで、そのウォークイン機能を担保することができる。
【００１７】
上記課題を解決する車両用シートリクライニング装置は、前記第１メモリ部材は、前記第１及び第２の回動部材間の相対回動を伴いつつシートバックが前方側に傾倒する際、前記係合溝に前記第２メモリ部材を挿入可能な第１相対回動位置から所定の相対回動角度に設定された第２相対回動位置において前記第２メモリ部材に当接することにより、前記摩擦係合力に基づく前記第１の回動部材との一体回動を規制するストッパ部を備えることが好ましい。
【００１８】
即ち、シートバックの前倒し操作によりストッパ部に対して第２メモリ部材が当接した後においても、第１の回動部材は、第１メモリ部材との摩擦係合力に抗することで第２の回動部材に対して相対回動可能である。従って、上記構成によれば、そのストッパ部に対する第２メモリ部材の当接後、前倒し操作されたシートバックが最大前傾位置に到達することで、第１の回動部材と第１メモリ部材との相対回動位置が修正される。そして、これにより、第１メモリ部材と第２の回動部材との相対回動角度が、その第１相対回動位置及び第２相対回動位置間に設定された所定の相対回動角度に一致することで、その最大前傾位置から引き起こされたシートバックは、所定の相対回動角度に対応した所定の傾倒位置に復帰するようになる。
【００１９】
つまり、上記所定の相対回動角度をシートバックの基本位置から最大前傾位置に到達するまでの傾倒角度に等しく設定することで、基本位置よりも前方側の傾倒位置から前倒し操作を開始した場合には、その最大前傾位置から引き起こされたシートバックが前倒し操作前の傾倒位置に復帰するようになる。また、基本位置よりも後方側の傾倒位置から前倒し操作を開始した場合には、その最大前傾位置から引き起こされたシートバックが基本位置に復帰するようになる。そして、これにより、引き起こされたシートバックが後部シートに着座した乗員側に干渉しないようにすることで、その利便性を高めることができる。
【発明の効果】
【００２０】
本発明によれば、より正確なタイミングでロック部材をロック動作させることができる。
【図面の簡単な説明】
【００２１】
【図１】シートリクライニング装置が設けられた車両用シートの側面図。
【図２】シートリクライニング装置の側面図。
【図３】シートリクライニング装置の斜視図。
【図４】シートリクライニング装置の斜視図。
【図５】シートリクライニング装置の分解斜視図。
【図６】シートリクライニング装置の断面図（図２におけるVI−VI断面）。
【図７】シートリクライニング装置の断面図（図６におけるVII−VII断面）。
【図８】シートリクライニング装置の断面図（図６におけるVIII−VIII断面）。
【図９】操作ハンドル、操作軸、及びウォークインレバーの側面図。
【図１０】第１メモリ部材及び第２メモリ部材の側面図。
【図１１】シートリクライニング装置の動作説明図（第１相対回動位置：係合状態）。
【図１２】シートリクライニング装置の動作説明図（第１相対回動位置：脱離状態）。
【図１３】シートリクライニング装置の動作説明図（前倒し操作時）。
【図１４】シートリクライニング装置の動作説明図（第２相対回動位置：当接状態）。
【図１５】シートリクライニング装置の作用説明図（前傾状態からのウォークイン動作時）。
【図１６】シートリクライニング装置の作用説明図（後傾状態からのウォークイン動作時）。
【図１７】第１メモリ部材の係合溝に対する第２メモリ部材の挿入構造を示す説明図。
【図１８】第１メモリ部材の係合溝に対する第２メモリ部材の挿入構造の別例を示す説明図。
【図１９】第１メモリ部材の係合溝に対する第２メモリ部材の挿入構造の別例を示す説明図。
【図２０】第１メモリ部材の係合溝に対する第２メモリ部材の挿入構造の従来技術を示す説明図。
【発明を実施するための形態】
【００２２】
以下、シートリクライニング装置の一実施形態を図面に従って説明する。
図１に示すように、車両用のシート１は、シートクッション２と、このシートクッション２の後端部に対して傾動自在に設けられたシートバック３とを備えている。本実施形態では、車両の床部４には、左右一対のロアレール５と、その延伸方向に沿って当該各ロアレール５上を相対移動するアッパレール６と、が設けられている。即ち、本実施形態のシート１は、これらの各アッパレール６上に支持されることにより、その車両前後方向における位置調整が可能となっている。そして、本実施形態のシート１には、更に、そのシートバック３の傾倒角度を調整可能なシートリクライニング装置１０が設けられている。
【００２３】
詳述すると、図２〜図６に示すように、シートクッション２とシートバック３との間には、シートクッション２に対するシートバック３の相対回動を規制し、及びその相対回動を許容することが可能なリクライナ１１が介在されている。そして、車両の乗員は、シートクッション２の側方に配置される操作ハンドル１３を操作することにより、このリクライナ１１の機能に基づいて、そのシートバック３の傾倒角度を調整することができるようになっている。
【００２４】
具体的には、図２に示すように、シートクッション２の骨格を形成するサイドフレーム１４には、その後端部から上方に延びる板状部材としての支持プレート１５が設けられている。また、シートバック３の骨格を形成するシートバックサイドメンバ１６は、そのシートクッション２の側方（同図中、紙面に直交する方向において手前側）に設けられた各支持プレート１５のシート幅方向内側（同図中、奥側）に配置されている。そして、リクライナ１１は、これらシート幅方向に対向する支持プレート１５の上端部とシートバックサイドメンバ１６の基端部との間に挟み込まれる態様で、シートバック３の幅方向両側に設けられている。
【００２５】
さらに詳述すると、図６〜図８に示すように、リクライナ１１は、共通の回動中心（回動軸Ｌ）を有して相対回動可能に並置された第１及び第２の回動部材（アッパブラケット及びロアブラケット）２１，２２を備えている。
【００２６】
本実施形態では、これら第１及び第２の回動部材２１，２２は、ともに略円盤状の外形を有している。また、これら第１及び第２の回動部材２１，２２の周縁部には、それぞれ、その互いに対向配置された本体部２１ａ，２２ａから他方側に向かって突出する円環状の周壁部２３，２４が形成されている。そして、これらの第１及び第２の回動部材２１，２２は、互いの周壁部２３，２４が嵌合することにより、相対回動可能な状態で同軸位置に配置されるようになっている。
【００２７】
具体的には、第１の回動部材２１は、その第１及び第２の回動部材２１，２２の最外周部に位置する上記第２の回動部材２２の周壁部２４に対して段違いに配置された第１及び第２の周壁部２３ａ，２３ｂを備えている。また、本実施形態では、これら第１及び第２の周壁部２３ａ，２３ｂのうち、径方向外側に位置する第１の周壁部２３ａの外径は、第２の回動部材２２側の周壁部２４の内径と略等しく設定されている。そして、第１の回動部材２１は、これにより、その第１の周壁部２３ａが第２の回動部材２２側の周壁部２４に摺接する状態で、当該第２の回動部材２２に対して相対回動することが可能となっている。
【００２８】
尚、本実施形態のリクライナ１１は、第１の回動部材２１側の第１の周壁部２３ａ及び第２の回動部材２２側の周壁部２４を厚み方向（図６中、左右方向）に挟み込み可能な断面形状を有した環状ホルダ２５を備えている。そして、本実施形態では、この環状ホルダ２５を第１及び第２の回動部材２１，２２の外周に嵌着することにより、これら第１及び第２の回動部材２１，２２間の相対回動を許容しつつ、その回動軸Ｌに沿った相対移動を規制する構成になっている。
【００２９】
また、図６に示すように、本実施形態では、第１の回動部材２１は、シートバック３側のシートバックサイドメンバ１６（の基端部）に固定され、第２の回動部材２２は、シートクッション２側の支持プレート１５（の上端部）に固定されている。そして、これら第１及び第２の回動部材２１，２２の間には、両者に係合することにより当該第１及び第２の回動部材２１，２２間の相対回動を規制可能な複数（本実施形態では３つ）のロック部材（ポール）３０が介在されている。
【００３０】
詳述すると、図６〜図８に示すように、第２の回動部材２２は、その周壁部２４の径方向内側において、係合部材としての各ロック部材３０を径方向移動可能に保持するガイド部３１を備えている。
【００３１】
具体的には、本実施形態の各ロック部材３０は、板状に形成されている。また、その回動軸Ｌの軸線方向において第１の回動部材２１に対向する第２の回動部材２２の対向面２２ｓ（図６中、左側の面）には、周方向に略均等間隔で配置された３つの保持突部３２が形成されている。更に、これらの各保持突部３２は、略扇形に形成されることにより、周方向に向かい合う互いの側壁部３２ａが全て略平行となるように設計されている。そして、各ロック部材３０は、これら各保持突部３２の間に配置されている。
【００３２】
即ち、本実施形態では、その周方向に隣り合う保持突部３２の側壁部３２ａ間にロック部材３０を挟み込むことによって、これら各保持突部３２の側壁部３２ａが、それぞれ、ガイド部３１として機能するようになっている。そして、各ロック部材３０は、これにより、その周方向両側に位置する各保持突部３２の側壁部３２ａに摺接する状態で径方向に移動可能、且つ当該各側壁部３２ａとの当接により周方向における相対移動が規制された状態で、第２の回動部材２２に保持されるようになっている。
【００３３】
また、図７に示すように、第１の回動部材２１側の周壁部２３、詳しくは、その第１の周壁部２３ａには、円環状をなす内周の全域に亘って、径方向内側に突出する内歯３３が形成されている。更に、第２の回動部材２２に保持されることにより径方向外側に臨む各ロック部材３０の先端部分には、それぞれ、上記第１の周壁部２３ａの内周に設けられた内歯３３に噛合可能な外歯３４が形成されている。そして、本実施形態では、この各ロック部材３０に設けられた外歯３４が第１の回動部材２１側の内歯３３に噛合（係合）することにより、その各ロック部材３０を保持する第２の回動部材２２と第１の回動部材２１との相対回転が規制されるようになっている。
【００３４】
詳述すると、図２〜図６に示すように、本実施形態のシートリクライニング装置１０は、上記操作ハンドル１３が固定されることにより当該操作ハンドル１３と一体に回動する操作軸４０を備えている。
【００３５】
図６〜図８に示すように、本実施形態では、この操作軸４０は、リクライナ１１を厚み方向に貫通、詳しくは上記第１及び第２の回動部材２１，２２の本体部２１ａ，２２ａにおける中央部分を貫通する態様で設けられている。また、本実施形態のリクライナ１１は、この操作軸４０に対して相対回転不能に固定されたカム部材３５を備えている。尚、本実施形態の操作軸４０は、平行する一対の平面部を有した所謂二面幅形状を有している。そして、本実施形態のカム部材３５は、その同じく二面幅形状を有する嵌合孔３５ａに操作軸４０が挿通されることにより、相対回転不能な状態で当該操作軸４０に固定されるようになっている。
【００３６】
本実施形態では、このカム部材３５は、その周縁部分が上記各ロック部材３０の基端部分に係合する状態で、これら各ロック部材３０の径方向内側に配置されている。そして、本実施形態のリクライナ１１は、そのカム部材３５の回動に基づき各ロック部材３０が径方向移動することにより、これら各ロック部材３０の外歯３４が上記第１の回動部材２１の内歯３３に係脱するように構成されている。
【００３７】
具体的には、本実施形態のカム部材３５は、上記のように各ロック部材３０を保持する第２の回動部材２２に対して、図７及び図８中、時計回り方向に相対回動することにより、各ロック部材３０を径方向外側に移動させる（押し広げる）ように構成されている。そして、本実施形態のリクライナ１１は、これにより各ロック部材３０の外歯３４が上記第１の回動部材２１に設けられた内歯３３に噛合（係合）することで、その第１及び第２の回動部材２１，２２を相対回動不能に拘束して、シートクッション２に対するシートバック３の傾倒角度を固定するロック状態となるように構成されている。
【００３８】
また、このカム部材３５は、図７及び図８中、反時計回り方向に相対回動することにより、各ロック部材３０を径方向内側に移動させる（引き込む）ように構成されている。そして、本実施形態のリクライナ１１は、これにより各ロック部材３０の外歯３４が第１の回動部材２１の内歯３３から脱離することで、その第１及び第２の回動部材２１，２２間の相対回動を許容して、シートバック３の傾倒角度を調整可能なアンロック状態となるように構成されている。
【００３９】
尚、本実施形態のリクライナ１１において、カム部材３５の回動軸となる操作軸４０は、図示しない捩りコイルバネの弾性力に基づいて、図７及び図８中、時計回り方向、即ちロック方向に付勢されている。また、この操作軸４０は、そのシートクッション２の側方に配置された操作ハンドル１３を引き上げることで（図２参照、同図中、時計回り方向の回動操作）、図７及び図８中、反時計回り方向、即ちアンロック方向に回動する。そして、その操作ハンドル１３の引き上げ操作を中止することで、上記捩りコイルバネの弾性力に基づいてロック方向に回動する構成となっている。
【００４０】
また、図８に示すように、本実施形態のリクライナ１１において、上記第１の回動部材２１に設けられた第２の周壁部２３ｂの内周には、均等角度間隔で周方向に離間する複数（本実施形態では、３つ）の制御突部４１が設けられている。更に、各ロック部材３０には、それぞれ、その第２の周壁部２３ｂの内周に向かって径方向外側に突出する係合突部４２が設けられている。そして、本実施形態のリクライナ１１は、これらの各制御突部４１と各係合突部４２とが当接することにより、その各ロック部材３０のロック及びアンロック動作が制御されるようになっている。
【００４１】
詳述すると、本実施形態のリクライナ１１は、各ロック部材３０のアンロック動作時、その係合突部４２が第２の周壁部２３ｂに設けられた上記各制御突部４１よりも径方向内側に移動するように構成されている。そして、これにより、アンロック状態においては、これら各ロック部材３０の係合突部４２と第２の周壁部２３ｂ側の各制御突部４１とが干渉することなく、第１及び第２の回動部材２１，２２が相対回動可能な構成となっている。
【００４２】
また、本実施形態では、第１及び第２の回動部材２１，２２の相対回動により上記各制御突部４１及び係合突部４２の周方向位置が重複する場合には、これらの各制御突部４１と各係合突部４２とが摺接することで、その径方向外側に向かう各ロック部材３０の移動、つまりはロック動作が規制されるようになっている。即ち、本実施形態のリクライナ１１は、第２の周壁部２３ｂ側の上記各制御突部４１及び各ロック部材３０の係合突部４２の周方向位置が重複しない所定の回動角度範囲内において、各ロック部材３０をロック動作させる、つまりは第１及び第２の回動部材２１，２２の相対回動位置を固定することが可能となっている。そして、上記のような各制御突部４１と各係合突部４２とが摺接する回動角度範囲においては、そのアンロック状態が維持される構成となっている。
【００４３】
図１に示すように、本実施形態のシートリクライニング装置１０は、このリクライナ１１の機能に基づいて、予め設定された基本位置Ｐ０を基準とした前方側に所定の傾倒角度θ１及び後方側に所定の傾倒角度θ２の範囲内において、そのシートバック３の傾倒角度を変更し及び固定することが可能、即ち傾倒角度を任意に調整可能となっている。
【００４４】
また、本実施形態のシート１は、その前方側における傾倒角度の調整限界、即ちアップライト位置Ｐ１を超えて、上記基本位置Ｐ０を基準として前方側に所定の傾倒角度θ３の位置までシートバック３を傾倒させることが可能となっている（最大前傾位置Ｐ３）。尚、本実施形態では、図示しないストッパによって、シートバック３の最大前傾位置Ｐ３（傾倒角度θ３）及び最大後傾位置Ｐ２（傾倒角度θ２）が規定されている。そして、そのアップライト位置Ｐ１を超えた前方側の傾倒範囲においては、操作ハンドル１３の引き上げを持続することなくリクライナ１１のアンロック状態が維持される、即ちシートバック３の傾倒角度が固定されないように構成されている。
【００４５】
（ウォークイン＆メモリ機能）
次に、本実施形態のシートリクライニング装置１０に実装されたウォークイン＆メモリ機能について説明する。
【００４６】
図２〜図５に示すように、本実施形態のシートリクライニング装置１０は、上記操作ハンドル１３とは独立に、その操作軸４０をアンロック方向（図２中、時計回り方向）に回動させることが可能なウォークインレバー５０を備えている。また、図６に示すように、本実施形態のシート１には、そのシートバック３を前方側に付勢する付勢部材４５（例えば、渦巻きバネ等）が設けられている。そして、本実施形態のシートリクライニング装置１０では、これにより、操作ハンドル１３の引き上げ操作に依らず、シートクッション２との間に設けられた上記リクライナ１１をアンロック状態として、そのシートバック３を最大前傾位置Ｐ３に傾倒させることが可能な所謂ウォークイン機能が実現されている。
【００４７】
詳述すると、図２〜図５、及び図９に示すように、本実施形態のシートリクライニング装置１０において、ウォークインレバー５０は、上記操作軸４０が挿通される挿通孔５１を有している。また、ウォークインレバー５０の先端には、ワイヤーケーブル５２が接続されている。そして、本実施形態のウォークインレバー５０は、このワイヤーケーブル５２に牽引されることにより、その挿通孔５１に挿通された操作軸４０を回動中心としてアンロック方向（図２及び図９中、時計回り方向）に回動する構成となっている。
【００４８】
ここで、図９に示すように、本実施形態では、上記挿通孔５１は、上記のような二面幅形状を有する操作軸４０の直径（略矩形状断面における長手方向の長さ）Ｒ１と略等しい（僅かに大きい）内径Ｒ２を有している。そして、この挿通孔５１の内周には、ウォークインレバー５０が上記アンロック方向に回動した場合にのみ、その操作軸４０の二面幅形状に係合して当該操作軸４０を一体回動させることが可能な一対の係合突部５１ａ，５１ｂが設けられている。
【００４９】
また、図１に示すように、シートバック３の上端部（肩口部分）には、シート１の後方から操作可能なウォークインハンドル５３が設けられている。そして、上記ワイヤーケーブル５２の他端側は、このウォークインハンドル５３に接続されるようになっている。
【００５０】
即ち、本実施形態のシートリクライニング装置１０は、このウォークインハンドル５３に対する操作入力がワイヤーケーブル５２を介してウォークインレバー５０に伝達されることにより、その挿通孔５１内に挿通された操作軸４０と一体に当該ウォークインレバー５０がアンロック方向に回動する構成となっている。また、本実施形態では、上記のように操作軸４０に固定された操作ハンドル１３が引き上げ操作された場合には、その挿通孔５１の内周に設けられた各係合突部５１ａ，５１ｂが操作軸４０の二面幅形状に係合しないようになっている。そして、本実施形態のシートリクライニング装置１０は、これにより、上記操作ハンドル１３の引き上げによる通常のリクライニング操作時には、ウォークインレバー５０の回動を伴うことなく、その挿通孔５１内に挿通された操作軸４０がアンロック方向に回動する構成になっている。
【００５１】
また、図２〜図５、及び図１０に示すように、本実施形態のシートリクライニング装置１０は、上記リクライナ１１を構成する第１の回動部材２１の外面に摩擦係合する第１メモリ部材６１と、この第１メモリ部材６１に対して係脱可能に設けられた第２メモリ部材６２と、を備えている。
【００５２】
図６に示すように、本実施形態のシートリクライニング装置１０において、第１メモリ部材６１は、上記第１の回動部材２１に設けられた周壁部２３に嵌着されている。そして、第１メモリ部材６１は、その周壁部２３との間の摩擦係合力に基づき第１の回動部材２１と同軸に一体回動可能、且つその摩擦係合力に抗して相対回動可能な構成となっている。
【００５３】
具体的には、本実施形態では、第１及び第２の回動部材２１，２２は、それぞれ、板状の金属材料を塑性加工（プレス加工）することにより、その本体部２１ａ，２２ａと周壁部２３，２４とが一体に形成されている。
【００５４】
例えば、第１の回動部材２１においては、第１の周壁部２３ａを形成する際、その塑性変形により第１の回動部材２１の内面Ｓ１となる側から外面Ｓ２となる側（図６中、右側から左側）に押し出された段差部分が第２の周壁部２３ｂの外周となっている。更に、本実施形態では、その内周に複数の制御突部４１を有した上記第２の周壁部２３ｂを形成する際、塑性変形によって外面Ｓ２となる側に押し出された段差部分が第３の周壁部２３ｃを構成する。そして、上記第１メモリ部材６１は、この第３の周壁部２３ｃの外周面に嵌合する構成になっている。
【００５５】
一方、図５及び図６に示すように、本実施形態の第２メモリ部材６２は、略四角軸状の外形を有している。また、上記のようにリクライナ１１を構成する第２の回動部材２２が固定された支持プレート１５には、この第２メモリ部材６２が挿通されるガイド孔６３が設けられている。本実施形態では、このガイド孔６３は、リクライナ１１の径方向（図２及び図６中、上下方向）に延びる長孔形状を有しており、第２メモリ部材６２は、このガイド孔６３内を長手方向に移動可能な状態で支持されている。そして、図１０に示すように、第１メモリ部材６１には、そのガイド孔６３内を移動する第２メモリ部材６２が係脱可能な係合溝６５が形成されている。
【００５６】
図２〜図６に示すように、本実施形態では、上記ガイド孔６３は、支持プレート１５に設けられた貫通孔６６に筒状部材６７を嵌着することにより形成される。また、この筒状部材６７は、その板状部材としての支持プレート１５の厚みＤ０よりも大きな軸方向長さＤ１を有している。そして、本実施形態では、これにより、その筒状部材６７の周壁６７ａが、ガイド孔６３の周縁部において支持プレート１５の厚み方向に突出する支持壁６８として機能する構成になっている。
【００５７】
また、図２〜図５に示すように、本実施形態のシートリクライニング装置１０は、この第２メモリ部材６２と上記ウォークインレバー５０とを連結するリンク部材６４を備えている。具体的には、図１１及び図１２に示すように、このリンク部材６４は、ウォークインレバー５０がアンロック方向（各図中、時計回り方向）に回動することにより、そのガイド孔６３内の第２メモリ部材６２がリクライナ１１の径方向外側、即ち第１メモリ部材６１から離間する方向（各図中、上側から下側）に移動するように構成されている。そして、本実施形態では、これにより、その第１メモリ部材６１に対して第２メモリ部材６２を係脱動作させるとともに、当該第２メモリ部材６２の係脱動作に連動して上記リクライナ１１を構成する各ロック部材３０をロック及びアンロック動作させることが可能な操作機構７０が形成されるようになっている。
【００５８】
さらに詳述すると、図１０に示すように、本実施形態の第１メモリ部材６１は、周方向の一部が破断した円環形状（所謂Ｃリング形状）を有する摩擦係合部７１を備えている。また、この摩擦係合部７１の内周には、複数の摺接突部７２が形成されている。そして、本実施形態の第１メモリ部材６１は、これらの各摺接突部７２が摺接する状態で、その摩擦係合部７１が上記第１の回動部材２１側に設けられた周壁部２３（２３ｃ）に嵌合することにより、当該第１の回動部材２１との間に適切な摩擦係合力を発生するように構成されている。
【００５９】
また、本実施形態の第１メモリ部材６１は、破断部７１ｘの近傍に周方向端部７３ａを有して摩擦係合部７１の径方向外側に突出して設けられた弧状延設部７３を備えている。そして、第１メモリ部材６１は、更に、この弧状延設部７３の周方向端部７３ａとの間に摩擦係合部７１の破断部７１ｘを挟む周方向位置において当該摩擦係合部７１から径方向外側に突出する突出部７４を備えている。
【００６０】
本実施形態の第１メモリ部材６１において、係合溝６５は、これらの突出部７４の側面７４ａ及び弧状延設部７３の周方向端部７３ａを周方向の両側壁面６５ｓとして構成されている。即ち、本実施形態の係合溝６５は、周方向に破断部７１ｘを挟む摩擦係合部７１の第１端７１ａ側及び第２端７１ｂ側に別れて設けられた周方向の両側壁面６５ｓを有している。そして、第１メモリ部材６１は、この係合溝６５内に挿入された第２メモリ部材６２と係合することにより、その第２の回動部材２２に対する相対回動が規制される構成となっている。
【００６１】
具体的には、図１１に示すように、上記ウォークインハンドル５３が操作されていない場合、第２メモリ部材６２は、上記支持プレート１５に形成されたガイド孔６３内における第１メモリ部材６１の径方向内側（同図中、上側）に配置されることにより、その係合溝６５内に挿入された状態となっている。そして、本実施形態では、これにより第１メモリ部材６１に第２メモリ部材６２が係合することで、その支持プレート１５に固定された第２の回動部材２２に対する第１メモリ部材６１の相対回動が規制されるようになっている。
【００６２】
即ち、この状態でシートクッション２の側方に設けられた操作ハンドル１３（図２参照）を引き上げた場合、ウォークインレバー５０は回動せず、その第１メモリ部材６１に対する第２メモリ部材６２の係合状態は維持される。しかしながら、第１の回動部材２１については、その操作ハンドル１３の引き上げ操作に基づき各ロック部材３０がアンロック動作することで、その第１メモリ部材６１との摩擦係合力に抗して第２の回動部材２２と相対回動することが可能である。そして、本実施形態のシートリクライニング装置１０は、これにより、その操作ハンドル１３を用いた通常のリクライニング操作によって、シートバック３の傾倒角度を調整することが可能となっている。
【００６３】
一方、図１２に示すように、上記ウォークインハンドル５３（図１参照）が操作された場合、第２メモリ部材６２は、そのウォークインレバー５０がアンロック方向に回動することにより、上記支持プレート１５に形成されたガイド孔６３内を第１メモリ部材６１の径方向外側（同図中、下側）に向かって移動する。そして、本実施形態のシートリクライニング装置１０は、これにより、その係合溝６５から第２メモリ部材６２が抜脱され、当該第２メモリ部材６２と第１メモリ部材６１との係合が解除されることによって、その第２の回動部材２２に対して第１メモリ部材６１が相対回動可能な状態となるように構成されている。
【００６４】
また、このとき、リクライナ１１においては、操作機構７０を構成するウォークインレバー５０の回動に伴い各ロック部材３０がアンロック動作（脱離動作）することによって、その第１及び第２の回動部材２１，２２間の相対回動が許容される。そして、本実施形態のシートリクライニング装置１０は、これにより、その摩擦係合力に基づいて、第１の回動部材２１と第１メモリ部材６１とが一体回動可能な状態となるように構成されている。
【００６５】
ここで、図１０、図１３及び図１４に示すように、本実施形態では、第１メモリ部材６１に設けられた弧状延設部７３の外周部には、シートバック３の傾動に伴い第１の回動部材２１と一体に第１メモリ部材６１が相対回動した場合において、その係合溝６５から脱離した第２メモリ部材６２が摺接する摺接面７５が形成されている。そして、本実施形態のシートリクライニング装置１０は、これにより、そのウォークインハンドル５３に対する操作入力を持続することなく、シートバック３を最大前傾位置Ｐ３まで傾倒させることが可能となっている。
【００６６】
即ち、上記のように付勢部材４５（図６参照）により付勢されたシートバック３は、その付勢力に基づいて、シートクッション２との間に介在されたリクライナ１１がアンロック状態となることにより前方側に向かって傾動することになる。本実施形態では、このとき、第１メモリ部材６１が第１の回動部材２１と一体に相対回動することで、その摺接面７５に第２メモリ部材６２が摺接する。更に、これにより、その第１メモリ部材６１の径方向内側に向かう第２メモリ部材６２の係合動作が規制されることで、図１３及び図１４中、反時計回り方向に向かうウォークインレバー５０の回動、つまりは各ロック部材３０のロック動作が規制される。そして、本実施形態では、これにより、リクライナ１１のアンロック状態が維持されることで、その付勢部材４５に付勢されたシートバック３が最大前傾位置Ｐ３に到達するようになっている。
【００６７】
また、このようなウォークイン機能により前倒し操作されたシートバック３を引き起こす際においても、第１メモリ部材６１の摺接面７５に第２メモリ部材６２が摺接する状態にある限り、そのリクライナ１１のアンロック状態が維持される。
【００６８】
即ち、シートバック３の引き起こし操作時、第２メモリ部材６２は、摩擦係合力に基づき第１の回動部材２１と第１メモリ部材６１とが一体回動することによって、当該第１メモリ部材６１の摺接面７５を上記係合溝６５に挿入可能な位置まで周方向に移動するようになっている。そして、本実施形態では、これにより、そのシートバック３を前倒し操作前の傾倒位置に復帰させることが可能な所謂メモリ機能が実現されるようになっている。
【００６９】
さらに詳述すると、図１０に示すように、本実施形態の第１メモリ部材６１において、上記突出部７４は、当該突出部７４とともに係合溝６５の両側壁面６５ｓを構成する上記弧状延設部７３に外周部に設けられた摺接面７５よりも、その先端が径方向外側に突出するように構成されている。
【００７０】
即ち、図１２に示すように、この突出部７４は、第１及び第２の回動部材２１，２２の相対回動を伴いつつシートバック３が後方側に傾倒する際、その第１の回動部材２１と一体に第１メモリ部材６１が回動することによって、第２の回動部材２２（の支持プレート１５）側に設けられた第２メモリ部材６２に当接するように構成されている。具体的には、この突出部７４は、その係合溝６５に第２メモリ部材６２を挿入可能な第１相対回動位置Ｑ１において、第２メモリ部材６２に当接するように構成されている。そして、本実施形態の第１メモリ部材６１は、この突出部７４がストッパ部７６として機能することにより、その摩擦係合力に基づいた第１の回動部材２１との一体回動が規制されるようになっている。
【００７１】
また、図１０に示すように、本実施形態の第１メモリ部材６１において、上記弧状延設部７３には、その係合溝６５とは反対側の周方向端部７３ｂの近傍に、上記突出部７４と同様、その先端が当該弧状延設部７３の外周部に形成された摺接面７５よりも径方向外側に突出した第２突出部７７が設けられている。
【００７２】
即ち、図１４に示すように、この第２突出部７７もまた、第１及び第２の回動部材２１，２２の相対回動を伴いつつシートバック３が前方側に傾倒する際、その第１の回動部材２１と一体に第１メモリ部材６１が回動することによって、第２の回動部材２２側に設けられた第２メモリ部材６２に当接するように構成されている。具体的には、この第２突出部７７は、見かけ上、摺接面７５上を周方向に相対移動する第２メモリ部材６２が、その摺接面７５の末端に到達する第２相対回動位置Ｑ２において、第２メモリ部材６２に当接するように構成されている。そして、本実施形態の第１メモリ部材６１は、その第２突出部７７がストッパ部７８として機能することにより、その摩擦係合力に基づいた第１の回動部材２１との一体回動が規制されるようになっている。
【００７３】
ここで、本実施形態のシートリクライニング装置１０は、このストッパ部７８を構成する第２突出部７７に第２メモリ部材６２が当接した後においても、上記付勢部材４５の付勢力に基づきシートバック３が最大前傾位置Ｐ３に到達できるように、その第１の回動部材２１（の周壁部２３）に対する第１メモリ部材６１の摩擦係合力が設定されている。そして、図１及び図１０に示すように、本実施形態では、その第１メモリ部材６１に設定された第１相対回動位置Ｑ１及び第２相対回動位置Ｑ２間の相対回動角度αは、そのシートバック３に設定された基本位置Ｐ０から最大前傾位置Ｐ３に至るまでの傾倒角度θ３に等しく設定されている。
【００７４】
即ち、図１５に示すように、前倒し操作前におけるシートバック３の傾倒位置Ｐｘが基本位置Ｐ０とアップライト位置Ｐ１との間にある場合、その前倒し操作によりシートバック３が最大前傾位置Ｐ３に到達するまでの傾倒角度θ４は、基本位置Ｐ０から最大前傾位置Ｐ３までの傾倒角度θ３よりも小さな値となる（θ４＜θ３）。そして、この傾倒角度θ４は、上記第１メモリ部材６１に設定された第１相対回動位置Ｑ１及び第２相対回動位置Ｑ２間の相対回動角度αよりも小さい。
【００７５】
従って、このような前傾状態から前倒し操作を開始した場合、第１メモリ部材６１においては、その摺接面７５に摺接する第２メモリ部材６２が、上記第２突出部７７に当接する末端部分まで到達しないため、その第１の回動部材２１に摩擦係合する第１メモリ部材６１の相対回動位置が維持される。そして、本実施形態のシートリクライニング装置１０は、これにより、その前倒し操作されたシートバック３を後方側に引き起こすことで、当該シートバック３が前倒し操作前の傾倒位置Ｐｘに復帰するように構成されている。
【００７６】
一方、図１６に示すように、前倒し操作前におけるシートバック３の傾倒位置Ｐｘ´が基本位置Ｐ０よりも後方側にある場合、その前倒し操作によりシートバック３が最大前傾位置Ｐ３に到達するまでの傾倒角度θ５は、基本位置Ｐ０から最大前傾位置Ｐ３までの傾倒角度θ３よりも大きな値となる（θ５＞θ３）。そして、この傾倒角度θ５は、上記第１メモリ部材６１に設定された第１相対回動位置Ｑ１及び第２相対回動位置Ｑ２間の相対回動角度αよりも大きい。
【００７７】
従って、このような後傾状態からの前倒し操作時、第１メモリ部材６１においては、その第２メモリ部材６２が上記第２突出部７７に当接し、当該第２突出部７７がストッパ部７８として機能することにより、その摩擦係合力に基づいた第１の回動部材２１との一体回動が規制される。そして、その第２突出部７７に対する第２メモリ部材６２の当接後、上記付勢部材４５の付勢力に基づきシートバック３が最大前傾位置Ｐ３に到達することにより、その第１の回動部材２１と第１メモリ部材６１との相対回動位置が修正される。
【００７８】
即ち、この修正により、第２の回動部材２２に対する第１メモリ部材６１の相対回動角度が、その第１相対回動位置Ｑ１及び第２相対回動位置Ｑ２間に設定された相対回動角度αに一致する。そして、本実施形態のシートリクライニング装置１０は、これにより、その前倒し操作されたシートバック３を後方側に引き起こすことで、当該シートバック３が基本位置Ｐ０に復帰するように構成されている。
【００７９】
（第１メモリ部材の係合溝に対する第２メモリ部材の挿入構造）
次に、本実施形態のシートリクライニング装置１０における第１メモリ部材６１の係合溝６５に対する第２メモリ部材６２の挿入構造について説明する。
【００８０】
図１７に示すように、本実施形態のシートリクライニング装置１０において、係合溝６５に対する第２メモリ部材６２の挿入部８０は、その係合溝６５に対する挿入方向を長手方向とした断面略矩形をなす角軸状に形成されている。そして、本実施形態では、第１メモリ部材６１側についてもまた、その摺接面７５と係合溝６５との境界部８１は、明確な湾曲形状を有しない角部Ｘとなっている。
【００８１】
即ち、上記のようにウォークイン機能により前倒しされたシートバック３の引き起し操作時、第１メモリ部材６１は、摩擦係合力に基づき第１の回動部材２１と一体に回動することにより、その係合溝６５に第２メモリ部材６２を挿入可能な第１相対回動位置Ｑ１に復帰する。そして、このとき、第２メモリ部材６２の挿入部８０は、見かけ上、その摺接面７５上を摺動することになる。
【００８２】
本実施形態では、その摺接面７５から最後に離脱する挿入部８０の摺接後端部８０ａ、及び摺接面７５と係合溝６５との境界部８１の双方を角部Ｘとすることで、その第１相対回動位置Ｑ１において、速やかに（一気に）第２メモリ部材６２を係合溝６５内に挿入することが可能となっている。尚、本実施形態では、上記のように第２メモリ部材６２の挿入部８０は、断面略矩形をなす角軸状に形成されていることから、上記摺接後端部８０ａを構成する当該挿入部８０の側面（図１７中、左側の側面）が係合溝６５への挿入方向（図１７中、下側から上側に向かう方向）に対してなす角度（δ１）は「０°」となっている。また、摺接面７５との境界部８１において係合溝６５の側壁面６５ｓが第２メモリ部材の挿入方向に対してなす角度δ０は、第２メモリ部材６２が係合溝６５内に挿入される際、その側壁面６５ｓに摺接する「正の値」となっている。そして、本実施形態のシートリクライニング装置１０は、これにより、その第２メモリ部材６２の係合動作に連動した上記各ロック部材３０のロック動作を、より正確なタイミングで行うことが可能となっている。
【００８３】
以上、本実施形態によれば、以下のような効果を得ることができる。
（１）シートリクライニング装置１０は、同軸に並置された第１及び第２の回動部材２１，２２と、これら第１及び第２の回動部材２１，２２間の相対回動を規制可能なロック部材３０と、を備える。また、シートリクライニング装置１０は、第１の回動部材２１の外面Ｓ２に摩擦係合することにより当該第１の回動部材２１と同軸に一体回動可能且つ摩擦係合力に抗して相対回動可能な第１メモリ部材６１と、この第１メモリ部材６１に対して係脱可能な第２メモリ部材６２と、を備える。更に、シートリクライニング装置１０は、第２メモリ部材６２を係脱動作させるとともに、その係脱動作に連動してロック部材３０をロック及びアンロック動作させることが可能な操作機構７０と、を備える。また、第１メモリ部材６１には、第２メモリ部材６２に摺接することによりロック部材３０のロック動作を伴う第２メモリ部材６２の係合動作を規制可能な摺接面７５が設けられる。更に第１メモリ部材６１には、第１メモリ部材６１が第２の回動部材２２に対して所定の相対回動位置（第１相対回動位置Ｑ１）にある場合に上記第２メモリ部材６２の係合動作を許容して、その係合動作により挿入された第２メモリ部材６２と係合する係合溝６５が設けられる。そして、シートリクライニング装置１０は、これにより、その第２の回動部材２２に対する第１メモリ部材６１の相対回動を規制可能な構成となっている。
【００８４】
上記構成によれば、第１メモリ部材６１の係合溝６５内に第２メモリ部材６２が挿入された状態においても、第１メモリ部材６１の摩擦係合力に抗して、第１の回動部材２１を第２の回動部材２２に対して相対回動させることができる。そして、これにより、第１メモリ部材６１に対する第２メモリ部材６２の係脱動作を伴わない通常のリクライニング操作によって、そのシートバック３の傾倒角度を調整することができる。
【００８５】
また、係合溝６５から第２メモリ部材６２が抜脱されることにより、第１メモリ部材６１は、その摩擦係合力に基づいて第１の回動部材２１と一体回動可能な状態となる。即ち、第１及び第２の回動部材２１，２２が相対回動することにより第１メモリ部材６１の摺接面７５が第２メモリ部材６２に摺接し、そのロック部材３０のロック動作を伴う第２メモリ部材６２の係合動作が規制されることで、シートバック３の傾倒角度が固定されないアンロック状態が維持される。そして、これにより、その操作機構７０を介したアンロック操作を持続することなく、シートバック３を最大傾倒位置まで傾倒させることができる。
【００８６】
更に、傾倒したシートバック３を引き起こす際には、その第１の回動部材２１と一体回動する第１メモリ部材６１が、第２の回動部材２２に対する第１相対回動位置Ｑ１に復帰することにより、その係合溝６５に第２メモリ部材６２を挿入可能な状態となる。そして、これにより、ロック部材３０のロック動作を伴う第２メモリ部材６２の係合動作が許容されることにより、傾倒操作前の傾倒位置Ｐｘにおいて、そのシートバック３の傾倒角度を固定することができる。
【００８７】
また、その各メモリ部材を第１及び第２の回動部材２１，２２の間に配置するリクライナ内蔵型の構成と比較した場合、上記構成の方が、より優れた組付け性を有している。そして、その空間的な配置自由度の高さを活かして装置の薄型化や高精度のロック及びアンロック動作を行うことが可能という利点を有している。
【００８８】
（２）摺接面７５は、第１及び第２の回動部材２１，２２の相対回動を伴いつつシートバック３が前方側に傾倒する際、摩擦係合力に基づき第１メモリ部材６１が第１の回動部材２１と一体に回動することにより第２メモリ部材６２に摺接する位置に形成される。
【００８９】
上記構成によれば、ロック部材３０のロック動作を伴う第２メモリ部材６２の係合動作が規制され、アンロック状態が維持されることにより、操作機構７０を介したアンロック操作を維持することなく、シートバック３を最大前傾位置Ｐ３まで傾倒させることができる。
【００９０】
（３）第１メモリ部材６１は、第１及び第２の回動部材２１，２２間の相対回動を伴いつつシートバック３が後方側に傾倒する際、係合溝６５に第２メモリ部材６２を挿入可能な第１相対回動位置Ｑ１において第２メモリ部材６２に当接する突出部７４を備える。そして、この突出部７４がストッパ部７６として機能することにより、その摩擦係合力に基づく第１の回動部材２１と第１メモリ部材６１との一体回動を規制可能に構成される。
【００９１】
上記構成によれば、前倒し操作されたシートバック３を引き起こす際、その係合溝６５に対して第２メモリ部材６２を挿入可能な第１相対回動位置Ｑ１に第１メモリ部材６１が到達したとき、当該第１メモリ部材６１と第１の回動部材２１との間の摩擦係合力に基づいて、そのシートバック３に抵抗感（手応え）を与えることができる。そして、これにより、そのシートバック３の傾倒角度を固定可能な状態にあることを示すことで、優れた操作性を確保することができる。
【００９２】
また、ロック部材３０のアンロック動作を伴いつつ第１メモリ部材６１から第２メモリ部材６２が脱離した場合に、そのシートバック３が後方側に傾倒することを抑制することができる。そして、これにより、シートバック３の前倒し操作を誘導することで、そのウォークイン機能を担保することができる。
【００９３】
（４）第１メモリ部材６１は、第１及び第２の回動部材２１，２２間の相対回動を伴いつつシートバック３が前方側に傾倒する際、係合溝６５に第２メモリ部材６２を挿入可能な第１相対回動位置Ｑ１から所定の相対回動角度αに設定された第２相対回動位置Ｑ２において第２メモリ部材６２に当接する第２突出部７７を備える。そして、この第２突出部７７がストッパ部７８として機能することにより、その摩擦係合力に基づく第１の回動部材２１と第１メモリ部材６１との一体回動を規制可能に構成される。
【００９４】
即ち、シートバック３の前倒し操作により第２突出部７７に対して第２メモリ部材６２が当接した後においても、第１の回動部材２１は、第１メモリ部材６１との摩擦係合力に抗することで第２の回動部材２２に対して相対回動可能である。従って、上記構成によれば、その第２突出部７７に対する第２メモリ部材６２の当接後、前倒し操作されたシートバック３が最大前傾位置Ｐ３に到達することで、第１の回動部材２１と第１メモリ部材６１との相対回動位置が修正される。そして、これにより、第１メモリ部材６１と第２の回動部材２２との相対回動角度が、上記第１相対回動位置Ｑ１及び第２相対回動位置Ｑ２間に設定された所定の相対回動角度αに一致することで、その最大前傾位置Ｐ３から引き起こされたシートバック３は、所定の相対回動角度αに対応する所定の傾倒位置に復帰するようになる。
【００９５】
つまり、上記所定の相対回動角度αをシートバック３の基本位置Ｐ０から最大前傾位置Ｐ３に到達するまでの傾倒角度θ３に等しく設定することで、基本位置Ｐ０よりも前方側の傾倒位置Ｐｘから前倒し操作を開始した場合には、その最大前傾位置Ｐ３から引き起こされたシートバック３が前倒し操作前の傾倒位置Ｐｘに復帰するようになる。また、基本位置Ｐ０よりも後方側の傾倒位置Ｐｘ´から前倒し操作を開始した場合には、その最大前傾位置Ｐ３から引き起こされたシートバック３が基本位置Ｐ０に復帰するようになる。そして、これにより、引き起こされたシートバック３が後部シートに着座した乗員側に干渉しないようにすることで、その利便性を高めることができる。
【００９６】
（５）シートバック３は、付勢部材４５により前方側に付勢される。そして、第１の回動部材２１に対する第１メモリ部材６１の摩擦係合力は、上記ストッパ部７８を構成する第２突出部７７に対する第２メモリ部材６２の当接後においても、その付勢部材４５の付勢力に基づいて第１及び第２の回動部材２１，２２が相対回動するように設定される。
【００９７】
上記構成によれば、より容易に、そのシートバック３を前倒し操作することができる。そして、第２突出部７７に対する第２メモリ部材６２の当接後、付勢部材４５の付勢力に基づきシートバック３が最大前傾位置Ｐ３に到達するようにすることにより、その前倒し操作されたシートバック３を、安定的に、基本位置Ｐ０に復帰させることができる。
【００９８】
（６）摺接面７５に摺接する第２メモリ部材６２を係合溝６５に対して挿入可能な第１相対回動位置Ｑ１まで第１メモリ部材６１が第２の回動部材２２に対して相対回動する際、その摺接面７５から最後に離脱する第２メモリ部材６２の摺接後端部８０ａは、湾曲形状を有しない角部Ｘとなるように構成される。そして、その摺接面７５と係合溝６５との境界部８１もまた、湾曲形状を有しない角部Ｘとなるように構成される。
【００９９】
（７）摺接面７５との境界部８１において係合溝６５の側壁面６５ｓが第２メモリ部材６２の挿入方向に対してなす角度を「δ０」とする。また、第１相対回動位置Ｑ１まで第１メモリ部材６１が第２の回動部材２２に対して相対回動する際、その摺接面７５から最後に離脱する第２メモリ部材６２の摺接後端部８０ａが第２メモリ部材６２の挿入方向に対してなす角度を「δ１」とする。そして、第１メモリ部材６１及び第２メモリ部材６２は、この場合に、その係合溝６５側の角度δ０よりも、摺接後端部８０ａ側の角度δ１（０°）の方が小さな値（δ１＜δ０）となるように構成される。
【０１００】
上記（６）（７）の構成によれば、その係合溝６５に対して第２メモリ部材６２を挿入可能な第１相対回動位置Ｑ１において、速やかに、当該第２メモリ部材６２を係合溝６５内に挿入することができる。そして、これにより、より正確なタイミングでロック部材３０をロック動作させることができる。
【０１０１】
（８）係合溝６５に対する第２メモリ部材６２の挿入部８０は、角軸状に形成される。このような構成とすることで、摺接面７５から最後に離脱する第２メモリ部材６２の摺接後端部８０ａを角部Ｘとすることができる。そして、その摺接後端部８０ａが第２メモリ部材６２の挿入方向に対してなす角度（δ１）を摺接面７５との境界部８１において係合溝６５の側壁面６５ｓが第２メモリ部材６２の挿入方向に対してなす角度δ０よりも小さな値にすることができる。その結果、簡素な構成にて、速やかに、その第２メモリ部材６２を係合溝６５内に挿入することができる。
【０１０２】
なお、上記実施形態は以下のように変更してもよい。
・上記実施形態では、第１メモリ部材６１は、周方向の一部が破断した円環形状（所謂Ｃリング形状）を有する摩擦係合部７１を備えることとした。しかし、これに限らず、例えば、破断部を有しない円環形状等、第１メモリ部材６１の形状は任意に変更してもよい。そして、第１の回動部材２１との間に摩擦リングを介在させる構成としてもよい。
【０１０３】
・また、係合溝６５は、周方向に破断部７１ｘを挟む摩擦係合部７１の第１端７１ａ側及び第２端７１ｂ側に別れて設けられた周方向の両側壁面６５ｓを有することした。しかし、これに限らず、第１メモリ部材６１における係合溝６５の形成位置は、任意に変更してもよい。
【０１０４】
・更に、第１メモリ部材６１には、第２メモリ部材６２に当接してストッパ部７６，７８として機能することにより、その摩擦係合力に基づく第１の回動部材２１と第１メモリ部材６１との一体回動を規制可能な突出部７４及び第２突出部７７が設けられることとした。しかし、これに限らず、これら各ストッパ部７６，７８の何れか一方のみを備える構成としてもよい。そして、これら各ストッパ部７６，７８の双方を有しない構成についてもまた、これを排除しない。
【０１０５】
・また、その摺接面７５が、シートバック３を前方に傾倒させた場合に第２メモリ部材６２に摺接する位置のみならず、シートバック３を後方に傾倒させた場合に第２メモリ部材６２に摺接する位置にも形成される構成としてもよい。そして、そのシートバック３を後方に傾倒させた場合に摺接する位置のみに摺接面７５が形成される構成についても、これを排除しない。尚、このような構成は、例えば、そのシートバック３をシートクッション２と略水平となるまで「後ろ倒し操作」することが可能な所謂「フラットシート」等に適用するとよい。
【０１０６】
・上記実施形態では、第１メモリ部材６１は、第１及び第２の回動部材２１，２２の最外周部となる第２の回動部材２２の周壁部２４に対して段違いに設けられた第１の回動部材２１側の周壁部２３、詳しくは、その第３の周壁部２３ｃに対して嵌合することとした。しかし、これに限らず、第１メモリ部材６１の嵌合位置は、内周に内歯３３を有する第１の周壁部２３ａや、内周に制御突部４１を有する第２の周壁部２３ｂであってもよい。そして、第１の回動部材２１の周壁部２３が第１及び第２の回動部材２１，２２の最外周部において、この最外周部に第１メモリ部材６１が嵌合する構成であってもよい。
【０１０７】
・また、環状ホルダ２５のような第１及び第２の回動部材２１，２２間の連結部材が第１の回動部材２１に固定される構成、或いは固定部材を介して第１の回動部材２１をシートバック３側に固定する構成においては、その連結部材や固定部材をも第１の回動部材２１の一部として取り扱うことができる。更に、シートバック３側（シートバックサイドメンバ１６等）に固定されることにより第１の回動部材２１と同軸位置に設けられた保持部材を有する構成についてもまた、その保持部材を第１の回動部材２１の一部として取り扱うことができる。そして、このような場合には、これら連結部材や固定部材、或いは保持部材の外周に第１メモリ部材６１が嵌合する構成としてもよい。
【０１０８】
・上記実施形態では、シートバック３側に固定される第１の回動部材２１は、その周壁部２３の内周に内歯３３及び制御突部４１を有し、シートクッション２側に固定される第２の回動部材２２は、その周壁部２４の径方向内側に、各ロック部材３０を径方向移動可能に保持するガイド部３１を有することとした。しかし、これに限らず、その周壁部の径方向内側に各ロック部材を保持する第１の回動部材と、その周壁部の内周に内歯及び制御突部を有する第２の回動部材と、を備える構成としてもよい。即ち、上記実施形態とは表裏を反対にした状態で、そのシートクッション２とシートバック３との間にリクライナ１１を介在させる構成に適用してもよい。そして、この場合においてもまた、第１メモリ部材６１は、シートバック３側の第１の回動部材２１に対して摩擦係合するように構成されることは言うまでもない。
【０１０９】
・上記実施形態では、係合溝６５に対する第２メモリ部材６２の挿入部８０は、断面矩形をなす角軸状に形成されることとした（図１７参照）。しかし、これに限らず、例えば、図１８に示すように、その挿入部８０Ｂを第２メモリ部材６２の挿入方向に先細りとなる楔形の角軸形状としてもよい。そして、図１９に示すように、その挿入部８０Ｃを第２メモリ部材６２の挿入方向とは逆向きに先細りとなる楔形の角軸形状としてもよい。
【０１１０】
即ち、挿入部８０の形状は、その摺接後端部８０ａが角部Ｘ、または、その摺接後端部８０ａが第２メモリ部材６２の挿入方向に対してなす角度δ１の方が、摺接面７５との境界部８１において係合溝６５の側壁面６５ｓが第２メモリ部材６２の挿入方向に対してなす角度δ０よりも小さな値（δ１＜δ０）であることが好ましい。従って、第２メモリ部材６２の挿入部８０は、例えば、断面四角以外の角軸形状であってもよい。そして、図１９に示す挿入部８０Ｃのように、その摺接後端部８０ａが第２メモリ部材６２の挿入方向に対してなす角度δ１がマイナスの値であってもよい。これは、摺接面７５との境界部８１において係合溝６５の側壁面６５ｓが第２メモリ部材６２の挿入方向に対してなす角度δ０が「ゼロ」又は「マイナス」の値である場合において、特に有効である。
【０１１１】
・また、上記実施形態では、角部Ｘは、「湾曲形状を有しない」ものと表現したが、これについては、必ずしも完全な「角」であることを意図するものではない。即ち、全ての「面取り処理」を否定するものではなく、正確なロック動作のタイミングを担保可能な範囲内であれば当然に許容されることはいうまでもない。
【０１１２】
・上記実施形態では、第２メモリ部材６２は、第１メモリ部材６１（リクライナ１１）に対して径方向移動することにより、その係合溝６５に対して挿抜されることとした。しかし、これに限らず、第２メモリ部材６２の挿入方向（挿抜方向）は、必ずしも第１メモリ部材６１の径方向に一致しなくともよい。また、その挿入方向が第１メモリ部材６１の回動中心に向かう方向に一致しなくともよい。更に、第１メモリ部材６１に係脱する第２メモリ部材６２の係脱動作について、必ずしも、その軌跡が直線的である必要はなく、円弧状に湾曲した軌跡を描くものであってもよい。そして、係合溝６５内に第２メモリ部材６２が挿入された後、その「挿入方向」が連続的に変化するような、係合溝６５の側壁面６５ｓが湾曲した構成であってもよい。
【０１１３】
・上記実施形態では、シートバック３の上端部（肩口部分）に設けられたウォークインハンドル５３に対する操作入力に基づいて、シート１の後方からシートバック３をウォークイン動作させることが可能であることとした。しかし、これに限らず、その操作機構７０の操作入力部は、例えば、フットレバー式等、その配置や形状は任意に変更してもよい。
【０１１４】
次に、以上の実施形態から把握することのできる技術的思想を効果とともに記載する。
（イ）前記摺接面は、前記第１及び第２の回動部材間の相対回動を伴いつつシートバックが前方側に傾倒する際、前記摩擦係合力に基づき前記第１メモリ部材が前記第１の回動部材と一体に回動することにより前記第２メモリ部材に摺接する位置に形成されること、を特徴とする車両用シートリクライニング装置。
【０１１５】
上記構成によれば、ロック部材のロック動作を伴う第２メモリ部材の係合動作が規制され、アンロック状態が維持されることにより、操作機構を介したアンロック操作を持続することなく、シートバックを最大前傾位置まで傾倒させることができる。
【０１１６】
（ロ）前記シートバックは、付勢部材により前方側に付勢されるものであって、前記ストッパ部に対する前記第２メモリ部材の当接後、前記付勢部材の付勢力に基づき前記第１及び第２の回動部材が相対回動するように、前記第１の回動部材に対する前記第１メモリ部材の摩擦係合力が設定されること、を特徴とする車両用シートリクライニング装置。
【０１１７】
上記構成によれば、より容易に、そのシートバックを前倒し操作することができる。そして、ストッパ部に対する第２メモリ部材の当接後、付勢部材の付勢力に基づきシートバックが最大前傾位置に到達するようにすることにより、その前倒し操作されたシートバックを、安定的に、その第１相対回動位置と第２相対位置との間に設定された所定の相対回動角度に対応する所定の傾倒位置に復帰させることができる。
【符号の説明】
【０１１８】
１…シート、２…シートクッション、３…シートバック、１０…シートリクライニング装置、１１…リクライナ、１３…操作ハンドル、１４…サイドフレーム、１５…支持プレート、１６…シートバックサイドメンバ、２１…第１の回動部材、２３…周壁部、２３ａ…第１の周壁部、２３ｂ…第２の周壁部、２３ｃ…第３の周壁部、２２…第２の回動部材、２４…周壁部（最外周部）、３０…ロック部材、３１…ガイド部、３２…保持突部、３３…内歯、３４…外歯、３５…カム部材、３５ａ…嵌合孔、４０…操作軸、４１…制御突部、４２…係合突部、４５…付勢部材、５０…ウォークインレバー、５１…挿通孔、５１ａ，５１ｂ…係合突部、５２…ワイヤーケーブル、５３…ウォークインハンドル、６１…第１メモリ部材、６２…第２メモリ部材、６３…ガイド孔、６４…リンク部材、６５…係合溝、６５ｓ…側壁面、６６…貫通孔、６７…筒状部材、６７ａ…周壁、６８…支持壁、７０…操作機構、７１…摩擦係合部、７１ａ…第１端、７１ｂ…第２端、７１ｘ…破断部、７２…摺接突部、７３…弧状延設部、７４…突出部、７５…摺接面、７６…ストッパ部、７７…第２突出部、７８…ストッパ部、８０…挿入部、８０ａ…摺接後端部、８０Ｂ…挿入部、８０Ｃ…挿入部、８１…境界部、９０…係合溝、９１…メモリリング（第１メモリ部材）、９１ｓ…外周面（摺接面）、９２…メモリピン（第２メモリ部材）、Ｐ０…基本位置、Ｐ１…アップライト位置、Ｐ２…最大後傾位置、Ｐ３…最大前傾位置、Ｐｘ，Ｐｘ´…傾倒位置、θ１〜θ５…傾倒角度、Ｑ１…第１相対回動位置、Ｑ２…第２相対回動位置、α…相対回動角度、Ｘ…角部、δ０…角度、δ１…角度、Ｌ…回動軸、Ｓ２…外面。
【図１】
0006318934.tif 000002
【図２】
0006318934.tif 000003
【図３】
0006318934.tif 000004
【図４】
0006318934.tif 000005
【図５】
0006318934.tif 000006
【図６】
0006318934.tif 000007
【図７】
0006318934.tif 000008
【図８】
0006318934.tif 000009
【図９】
0006318934.tif 000010
【図１０】
0006318934.tif 000011
【図１１】
0006318934.tif 000012
【図１２】
0006318934.tif 000013
【図１３】
0006318934.tif 000014
【図１４】
0006318934.tif 000015
【図１５】
0006318934.tif 000016
【図１６】
0006318934.tif 000017
【図１７】
0006318934.tif 000018
【図１８】
0006318934.tif 000019
【図１９】
0006318934.tif 000020
【図２０】
0006318934.tif 000021